(57)【要約】【課題】  安全性、作業性、耐塵性、耐水性などを向上させた工事用電源盤を提供する。【解決手段】  中扉５を閉めた状態では、ハンドル２０を通電位置および通電遮断位置へ回動自在であるが、ハンドル２０がニュートラル位置にあるときでなければ、中扉５を開くことができない。中扉５を開くと、ロックレバー２４がハンドル２０に干渉して、ハンドル２０の通電位置への回動が規制される。給電用ケーブルｂの端子台３への締結が不十分だと、中扉５が閉まらず、ハンドル２０を通電位置に回すことはできない。端子台３からケーブルｂを外すと、底蓋７が自動的に閉まり、通孔６が塞がれる。【選択図】  図２
2008061473.tif 000002
【特許請求の範囲】
【請求項１】
外扉で開閉される電源箱の内部に、外部機器への給電用ケーブルの端部を接続する為の端子台と、該端子台への通電を開閉する開閉器を配した電源盤であって、
前記外扉の内側に、少なくとも前記端子台を覆う中扉を開閉可能に配置すると共に、前記開閉器の開閉操作と前記中扉の開閉を連携させる手段を備え、
前記開閉器による前記端子台への通電を遮断した状態で前記中扉を開くことができ、前記中扉を閉めないと前記開閉器による前記端子台への通電がなされないよう構成したことを特徴とする電源盤。
【請求項２】
前記開閉器の開閉操作と前記中扉の開閉を連携させる手段が、前記中扉の外側から操作可能な前記開閉器の開閉操作用ハンドルと、該操作ハンドルの開閉操作を適時に規制するロックレバーと、前記中扉の開閉を適時に規制する係止片からなり、
前記中扉を閉めた状態においては、前記ロックレバーが前記開閉操作用ハンドルに干渉せず、該開閉操作用ハンドルの通電位置および通電遮断位置への回動が自在となると共に、前記開閉操作用ハンドルが通電位置にあるとき、前記ロックレバーと係止片が係合して中扉の開動が規制され、前記開閉操作用ハンドルが通電遮断位置にあるとき、前記ロックレバーと係止片の係合が外れて中扉の開動が自在となり、
前記中扉を開いた状態においては、前記ロックレバーが前記開閉操作用ハンドルに干渉して、該開閉操作用ハンドルの通電位置への回動が規制されるよう構成したことを特徴とする請求項１記載の電源盤。
【請求項３】
前記給電用ケーブルの端部を前記端子台に締結するための締結ネジを有し、該締結ネジが前記給電用ケーブルの端部を前記端子台に締結させるまで締まっていない状態においては、該締結ネジの頭部が前記中扉を閉めることができない位置にあるよう構成したことを特徴とする請求項１または２記載の電源盤。
【請求項４】
前記端子台に、前記締結ネジを緩めた際の落下を防止する保護カバーを設けたことを特徴とする請求項１〜３のいずれかに記載の電源盤。
【請求項５】
前記電源箱の底面に、前記給電用ケーブルが挿入される通孔が形成されると共に、該通孔を開閉する底蓋を具備し、該底蓋は付勢手段で閉方向へ付勢されて、給電用ケーブルを取り外すと前記底蓋が自動的に閉まるよう構成したことを特徴とする請求項１〜４の何れかに記載の電源盤。
【請求項６】
前記電源箱の底面に設けた前記ケーブル挿入用の通孔と、前記端子台との離間寸法が、作業者の指の長さよりも長く設定されていることを特徴とする請求項１〜５のいずれかに記載の電源盤。
【発明の詳細な説明】
【技術分野】
【０００１】
本発明は電源盤に関し、詳しくは、例えば工事現場、建設現場、工場などにおいて、主として仮設目的で設置される電源盤であって、感電防止などの安全性の向上を図った仮設用、工事用の電源盤に関する。
【背景技術】
【０００２】
従来、この種電源盤において安全性の向上などを意図したものに、例えば、特許文献１に開示されるような分電盤や、特許文献２に開示されるような仮設盤がある。しかし、これら従来の電源盤においても、電気事故防止などの対策が十分になされているとは言えなかった。
すなわち、建設工事や修繕工事の現場などで、溶接機などの外部機器用の電源として使用される工事用、仮設用などの電源盤は、使用する作業員が不特定多数であり、誤った使用方法による感電事故、漏電事故などを防止することが容易ではなかった。
【０００３】
【特許文献１】実開平３−３０７０４号公報
【特許文献２】特開２００４−２６３５５０号公報
【発明の開示】
【発明が解決しようとする課題】
【０００４】
図１１，図１２に、従来の一般的な工事用電源盤として、溶接機などの外部機器用の電源盤を示す。
この電源盤は、電源箱１００の内部に開閉器１０１を設置し、受電部分は、電源箱１００を電気的に絶縁する為のベークライト板に取り付けられた蝶ナット１０２と端子ボルト１０３から構成される端子台１０４と接続されている。電源箱１００の外扉１０５を開けた際、給電部（端子台１０４など）が露出する危険を排除するため、開閉器１０１と端子台１０４の前面には、蝶番１０６で開閉自在とされる透明アクリルカバー１０７が設置されている。
使用する際は、まず外扉１０５を開け、次に透明アクリルカバー１０７を開き、開閉器１０１が開であることを確認した後、給電部を露出させて蝶ナット１０２を一旦外す。そして、溶接機などの給電用ケーブル（不図示）を、電源箱１００の底板に開設した開口部１１１に挿入し、その端部を、端子ボルト１０３に通した上で蝶ナット１０２を締め、スイッチ１０９の操作で開閉器１０１を閉として、端子台１０４への通電を行う。また、底板には開口部１１１を閉止する底蓋１１０が取り付けられており、給電用ケーブルを取り外した後は、マグネットキャッチ１０８により固定する構造である。
【０００５】
このような構成の電源盤によれば、透明アクリルカバー１０７にはロック機構が無いため、開閉器１０１が通電状態であってもアクリルカバー１０７の開閉が可能であり、容易に給電部（端子台など）に触れてしまう危険性があった。
すなわち、この種の電源盤は、あくまで仮設品であるとの位置付けの為、感電防止措置が充分ではなく、通電状態でも容易に給電部に触れることができるため、感電事故が発生する可能性があった。例えば、スイッチ１０９を切らないで、端子台１０４に給電用ケーブルの端部を接続したり、通電状態の端子台１０４に触れてしまうなどの危険があった。
【０００６】
また、一般的な工事用電源盤は、電源箱１００の底蓋１１０を開いて開口部１１１から給電用ケーブルなどを引き込むようになっており、底蓋１１０が開放される構造であって、使用後においても底蓋が開いたままになる虞れがあるため、環境の悪い場所に設置された場合、塵埃や水が侵入する可能性があり、漏電などの電気事故につながる虞れがあった。
【０００７】
また、一般的な工事用電源盤は、給電用ケーブルなどの端部を、端子ボルト１０３に蝶ナット１０２で固定する構造であり、蝶ナット１０２を一旦外すので落下、紛失する虞れがあった。
さらに、蝶ナット１０２を締付け不完全の状態で使用した場合、端子台１０４部分での接触不良からスパークが生じ、端子台やケーブルが焼損する可能性もあった。
【０００８】
このように、不特定多数の人が使用する工事用、仮設用の電源盤については、感電防止、漏電防止の対策が充分に為されているとは言えず、工事現場、建設現場、工場などに設置された各種の設備にも影響を及ぼして、思わぬ事故につながる可能性もあった。
【０００９】
本発明はこのような従来事情に鑑みて成されたもので、その目的とする処は、工事用、仮設用などに使用される電源盤において、安全性、作業性、耐塵性、耐水性などを向上させて、感電、漏電などの事故を未然に防止することにある。
【課題を解決するための手段】
【００１０】
以上の目的を達成するために、本発明に係る電源盤は、外扉で開閉される電源箱の内部に、外部機器への給電用ケーブルの端部を接続する為の端子台と、該端子台への通電を開閉する開閉器を配した、工事用、仮設用などの各種用途に用いられる電源盤であって、
前記外扉の内側に、少なくとも前記端子台を覆う中扉を開閉可能に配置すると共に、前記開閉器の開閉操作と前記中扉の開閉を連携させる手段を備え、
前記開閉器による前記端子台への通電を遮断した状態で前記中扉を開くことができ、前記中扉を閉めないと前記開閉器による前記端子台への通電がなされないよう構成したことを特徴とする。
このように構成した場合、外扉の内側に中扉を備えており、開閉器による端子台への通電を遮断しないと中扉を開くことができないと共に、中扉を閉めないと開閉器による端子台への通電を行うことができない。
【００１１】
開閉器の開閉操作と中扉の開閉を連携させる手段の具体的態様として、中扉の外側から操作可能な開閉器の開閉操作用ハンドルと、該操作ハンドルの開閉操作を適時に規制するロックレバーと、前記中扉の開閉を適時に規制する係止片からなり、
前記中扉を閉めた状態においては、前記ロックレバーが前記開閉操作用ハンドルに干渉せず、該開閉操作用ハンドルの通電位置および通電遮断位置への回動が自在となると共に、前記開閉操作用ハンドルが通電位置にあるとき、前記ロックレバーと係止片が係合して中扉の開動が規制され、前記開閉操作用ハンドルが通電遮断位置にあるとき、前記ロックレバーと係止片の係合が外れて中扉の開動が自在となり、
前記中扉を開いた状態においては、前記ロックレバーが前記開閉操作用ハンドルに干渉して、該開閉操作用ハンドルの通電位置への回動が規制されるよう構成した態様をあげることができる。
このような構成とした場合、開閉器の操作用ハンドル、ロックレバー、係止片による簡単な構造でもって、前述の効果を得ることができる。
【００１２】
前記給電用ケーブルの端部を前記端子台に締結するための締結ネジを有し、該締結ネジが前記給電用ケーブルの端部を前記端子台に締結させるまで締まっていない状態においては、該締結ネジの頭部（ノブ）が前記中扉を閉めることができない位置にあるよう構成すると好ましい。
この場合、締結ネジをしっかりと締めて、給電用ケーブルの端部を確実に端子台に締結させないと、締結ネジの頭部（ノブ）が中扉と干渉して中扉を完全に閉めることができず、開閉器からの端子台への通電を行うことができない。
【００１３】
前記端子台に、前記締結ネジを緩めた際の落下を防止する保護カバーを設けることが好ましい。
この場合、締結ネジを緩めても保護カバーにより落下が防止されるので、締結ネジの紛失などを防止することができる。
【００１４】
前記電源箱の底面に、前記給電用ケーブルが挿入される通孔が形成されると共に、該通孔を開閉する底蓋を具備し、該底蓋は付勢手段で閉方向へ付勢されて、給電用ケーブルを取り外すと前記底蓋が自動的に閉まるよう構成すると良い。ここで、底蓋としては、例えば、スプリング蝶番のついた透明合成樹脂製の蓋を用いることができる。
この場合、使用後においては底蓋が自動的に閉まって電源箱底面の通孔が塞がれるので、環境の悪い場所に設置された場合であっても、塵埃や水が侵入する虞れを可及的に防止して、漏電などの電気事故を未然に防ぐことができる。
【００１５】
前記電源箱の底面に設けた前記ケーブル挿入用の通孔と、前記端子台との離間寸法が、作業者の指の長さよりも長く設定されていることが好ましい。さらに、ケーブル挿入用の通孔を、ケーブルを通すことの出来る必要最少限の開口面積とすることがより好ましい。
この場合、ケーブル挿入孔から作業者などが指を入れても届かない位置に端子台が配置されるので、感電事故などを未然に防止することができる。
【発明の効果】
【００１６】
本発明に係る電源盤は以上説明したように、通電状態にあるときは中扉の開放が不可能であって給電部となる端子台に触れることができない構成としたので、感電事故などの発生を大幅に低減することができる。
また、締結ネジを確実に締めないと中扉が閉まらない構造としたので、端子台部分での接触不良による焼損事故などを未然に防止することができる。
また、端子台において締結ネジを緩めても、保護カバーによって、締結ネジが端子台から完全に分離しないようにしたので、締結ネジの落下、紛失などの可能性を防止することができる。
また、給電用ケーブル挿入のために開く底蓋が、使用後は自動的に閉まる構造の為、底蓋の閉じ忘れによる塵埃や雨水などの侵入を防止し、電気事故の要因を排除することができる。
また、ケーブル挿入孔から指を入れても届かない位置に端子台が配置される構成としたので、感電事故などを未然に防止することができる。
よって、安全性、作業性、耐塵性、耐水性などが向上し、感電、漏電などの電気事故を未然に防止することができるなど、多くの効果を奏する。
【発明を実施するための最良の形態】
【００１７】
以下、本発明に係る電源盤（配電盤）の実施形態の一例を図面に基づいて説明する。図１は正面図を、図２は側面から見た簡略断面図を、図３は底蓋を省略した底面図を夫々示すと共に、外扉の開放状態を図４に、中扉の開放状態を図５に示す。
本例の配電盤は、工事現場などに仮設され、例えば溶接機などの外部機器に給電を行うもので、開閉操作用の把手１を備えた外扉２で開閉される電源箱ａの内部に、外部機器への給電用ケーブルｂの端部を接続する為の端子台３と、該端子台３への通電とその遮断を行う開閉器４が配されており、外扉２の内側には、端子台３と開閉器４を覆う中扉５が開閉可能に配されると共に、開閉器４の開閉（通電／遮断）操作と中扉５の開閉を連携させる手段を備えている。
すなわち、中扉５は、外扉２の内側に蝶番（不図示）で開閉自在に設置されて端子台３と開閉器４を覆っており、把手５ａで開閉を行うようになっているが、後述するハンドル２０、ロックレバー２４、係止片２７の連携によりその開閉が規制されている。
【００１８】
端子台３と開閉器４は、電源箱ａの背面部分を構成する基盤ａ−１に設置されており、該基盤ａ−１は電源箱ａに対しビスａ−２で着脱可能に固定されている。また電源箱ａは、金具ａ−４で所望箇所に着脱可能に設置し得るようになっている。
【００１９】
電源箱ａの底面には、給電用ケーブルｂが挿入される通孔６が複数形成されると共に、これら通孔６を開閉する底蓋７を備える。
底蓋７は透明な合成樹脂材料などからなり、付勢手段としてのスプリング蝶番８により閉方向へ付勢されていて、給電用ケーブルｂを取り外すと自動的に閉まって不使用時は各通孔６を塞ぐよう形成され、塵埃や水が侵入することを防止し得る構成となっている。
【００２０】
電源箱ａの底面に設けたケーブル挿入用の各通孔６と、電源箱ａ内の端子台３との離間寸法は、作業者等の指の長さよりも長く設定されており、通孔６から作業者等が指を入れても届かない位置に端子台３が配置されるので、感電事故などを未然に防止することができる。
【００２１】
端子台３部分を拡大した正面図を図６（ａ）に、同底面図を（ｂ）に、同右側面図を（ｃ）に示す。
本例の端子台３は、給電用ケーブルｂの端部ｂ’を端子台３に締結するための締結ネジ９を備え、この締結ネジ９がケーブル端部ｂ’を端子台３に締結させるまで締まっていない状態（（ｂ）図の一番右の状態、（ｃ）図の状態）においては、締結ネジ９の頭部（ノブ）９aが中扉５を閉めることができない位置にあるよう構成されている。
すなわち、夫々の締結ネジ９をしっかりと締めて、給電用ケーブルｂの端部ｂ’を確実に端子台３に締結させないと、締結ネジ頭部９ａが中扉５と干渉して中扉５を閉めることができず、開閉器４から端子台３への通電を行うことができないようになっている。
【００２２】
また、端子台３には、締結ネジ９を緩めた際の落下を防止する保護カバー１０が備えられている。保護カバー１０は、端子台３との間に所定の離間寸法をおいて固定された平板であって、締結ネジ９の挿通孔１０ａが形成されており、締結ネジ９の先端に固定した止め輪１１が挿通孔１０ａより大きいため保護カバー１０に当接することで、締結ネジ９の脱落が防止されるようになっている。
【００２３】
以下、開閉器４の開閉操作と中扉５の開閉を連携させる手段としての、ハンドル２０、ロックレバー２４、係止片２７の連携構造について、図７〜図１０に基づき説明する。
【００２４】
ハンドル２０は、開閉器４のスイッチ４ａの入切操作を、中扉５の外側で操作可能とする開閉操作用ハンドルであって、図７に示すように、ビス２１で開閉器４の前面に固定された取付台２２により回動自在に支持されている。そして、ハンドル２０が垂直位置にあるとき（図８（ａ）参照）は、開閉器４のスイッチ４ａが入位置にあって開閉器４が閉状態にあり、各端子台３への通電がなされる。一方、ハンドル２０が水平位置にあるとき（図８（ｂ）参照）は、開閉器４のスイッチ４ａが切位置にあって開閉器４が開状態にあり、各端子台３への通電が遮断されるよう構成されている。また、ハンドル２０を前記水平位置からさらに下方へ回動させて、図８（ｃ）に示すニュートラル位置にしたときは、開閉器４のスイッチ４ａが切位置にあり、且つ、後述するように、中扉５の開閉が自在となるよう構成されている。
【００２５】
図９（ａ）〜（ｄ）に示すように、ハンドル２０には、該ハンドル２０と一体に回動する係合部材２３が設けられ、取付台２２には、この係合部材２３と係合してハンドル２０の回動と中扉５の開閉を適時に規制するロックレバー２４が、軸２５を支点として揺動可能に支持されている。また図１０に示すように、中扉５には、前記ロックレバー２４が係脱可能に係合する係止片２７が備えられている。
【００２６】
ロックレバー２４は、図９（ａ），（ｂ）に示すように、中扉５を閉じた状態において、一端部２４ａが係止片２７の溝２７ａに係合して、中扉５の開動を規制する中扉ロック位置と、図９（ｃ）に示すように、前記一端部２４ａと溝２７ａとの係合が外れて、中扉５の開動が自在となる中扉開閉位置と、の間を揺動するように、軸２５で支持されている。
【００２７】
また、ロックレバー２４は、不図示の付勢部材又は自重などにより、通常は前記中扉ロック位置にあり、ハンドル２０を前記水平位置からニュートラル位置へ回動させたときに、一端部２４ａが押し上げられて、前記一端部２４ａと溝２７ａの係合が外れるようになっている。
【００２８】
ハンドル２０は、中扉５を閉じた状態において、図９（ａ）〜（ｃ）に示すように、前記垂直位置からニュートラル位置までにわたり回動自在である一方、中扉５を開いたときに、図９（ｄ）のように、係合部材２３がロックレバー２４の他端部２４ｂと係合して、垂直位置への回動が規制されるようになっている。
尚、このようなハンドルロック構造は、市販のハンドルロック機構を組み込んで製作することも可能である。
【００２９】
以上の構成になる本例の電源盤によれば、外扉２を把手１の操作により開けると、図４の如く、中扉５とハンドル２０が露出する。このとき、中扉５で各端子台３が覆われているので、各端子台２に直接触れることはできず、通電状態にあったとしても感電などの虞れはない。また、このとき、ハンドル２０の回動操作は自在であるが、ハンドル２０がニュートラル位置にあるときでなければ、中扉５を開くことはできない。
【００３０】
ハンドル２０を操作してニュートラル位置に回動させると、ロックレバー２４の一端部２４ａと係止片２７の溝２７ａとの係合が外れ、把手５ａを掴んで中扉５を開くことができる。
【００３１】
中扉５を開くと、端子台３、開閉器４が露出する。またこのとき、ハンドル２０が水平位置（通電遮断位置）に戻り、係合部材２３がロックレバー２４の他端部２４ｂに係合して、垂直位置（通電位置）への回動が規制されるので、端子台３などに触れても感電などの虞れはない。
この状態で、底蓋７を開き、通孔６より給電用ケーブルｂを挿入してその端部ｂ’を端子台３に誘導する。
そして、ノブ９ａを回して締結ネジ９を緩め、ケーブル端部ｂ’を端子台３に接続する。締結ネジ９は、保護カバー１０で保持されるので、完全に緩めても、端子台３から脱落することはない。
【００３２】
次に、ノブ９ａを回してケーブル端部ｂ’を端子台３に締結した後、中扉５を閉める。締結ネジ９による締結が不十分であると、中扉５とノブ９ａが干渉するため、中扉５を閉めることができず、中扉５が閉まらないと、ハンドル２０を回すことができず、端子台３への通電は遮断状態のままになる。
締結ネジ９を完全に締結し、中扉５をきちんと閉じれば、ハンドル２０が回動可能になり、開閉器４、端子台３、給電ケーブルｂを介して、外部機器への給電がなされる。
【００３３】
外部機器の使用終了後は、ハンドル２０の操作で通電を遮断した後、中扉５を開いて、締結ネジ９を緩め、端子台３から給電用ケーブルｂを外し、通孔６から引き抜く。このとき、スプリング蝶番８の作用で、底蓋７が自動的に閉まり、通孔６が塞がれる。
【００３４】
以上、本発明に係る電源盤の実施形態の一例を図面に基づいて説明したが、本発明は図示例に限定されるものではなく、特許請求の範囲に記載された技術的思想の範疇において各種の変更が可能であることは言うまでもない。
【産業上の利用可能性】
【００３５】
本発明に係る電源盤は、建築現場、工事現場、工場、その他、外部機器への給電を必要とする箇所に設置することができる。
【図面の簡単な説明】
【００３６】
【図１】本発明に係る電源盤の実施形態の一例を示す正面図。
【図２】図１に示す電源盤の内部を示す簡略断面図。
【図３】図１に示す電源盤の底面図で底蓋を省略して表す。
【図４】外扉を開いた状態の正面図。
【図５】中扉を開いた状態の正面図。
【図６】端子台部分の拡大図で、（ａ）は正面図、（ｂ）は底面図、（ｃ）は側面図を示す。
【図７】開閉器、ハンドル、レバーの関係を示す分解斜視図。
【図８】ハンドルの正面図で、（ａ）は通電状態、（ｂ）は通電遮断状態、（ｃ）はニュートラル状態（中扉の開動可能状態）、をそれぞれ示す。
【図９】ハンドル、ロックレバー、係合部材、係止片の関係を示す拡大図で、（ａ）〜（ｃ）は中扉を閉めた状態であって、（ａ）は通電状態、（ｂ）は通電遮断状態、（ｃ）はニュートラル状態をそれぞれ示す。（ｄ）は中扉を開けた状態を示す。
【図１０】中扉と係止片の関係を示す分解斜視図で、一部切欠して表す。
【図１１】従来の電源盤の側面図。
【図１２】図１１の電源盤の外蓋を開いた状態の正面図。
【符号の説明】
【００３７】
ａ：電源箱
２：外扉
３：端子台
４：開閉器
５：中扉
６：通孔
７：底蓋
９：締結ネジ
９ａ：締結ネジの頭部（ノブ）
１０：保護カバー
２０：ハンドル（開閉操作用ハンドル）
２３：係合部材
２４：ロックレバー
２５：軸
２７：係止片
ｂ：給電用ケーブル
【図１】
2008061473.tif 000003
【図２】
2008061473.tif 000004
【図３】
2008061473.tif 000005
【図４】
2008061473.tif 000006
【図５】
2008061473.tif 000007
【図６】
2008061473.tif 000008
【図７】
2008061473.tif 000009
【図８】
2008061473.tif 000010
【図９】
2008061473.tif 000011
【図１０】
2008061473.tif 000012
【図１１】
2008061473.tif 000013
【図１２】
2008061473.tif 000014